(57)【要約】  【課題】  プッシュイン／プッシュアウト操作によりカード型機器を着脱するカード用コネクタに、カード用コネクタよりサイズの大きいカード型機器をカード用コネクタから一部が突出した状態で装着した場合に、誤ってカード型機器の突出部分が押し込まれて装着が解除されることを防ぐことができるロック構造と、ロック構造を備える電気機器及びカード型機器を提供することにある。  【解決手段】  無線ＬＡＮカード１０は、収納装着部６に装着した状態で開口部７から突出する部分に押し込み防止用の切欠部１２、１２を有し、ロック部材２０は、無線ＬＡＮカード１０の切欠部１２、１２と係合する凸部２１、２１及び開口部７の外周部と当接して押し込みを抑止する抑止部２２を備え、無線ＬＡＮカード１０を収納装着部６に装着し、ロック部材２０の凸部２１、２１を無線ＬＡＮカード１０の切欠部１２、１２に係合させて、無線ＬＡＮカード１０を押し込み不可にする。【選択図】        図２
2006209447.tif 000002
【特許請求の範囲】
【請求項１】
筐体に形成された開口部から挿入されたカード状の挿入体を収納して装着し、装着された前記挿入体が奥方へ押し込まれた場合に装着を解除するようにしてあるカード収納装着体と、
前記開口部へ挿入して装着することが可能であり、装着状態で前記開口部から突出する突出部分を有し、該突出部分に凹部が形成してあるカード状の挿入体と、
前記凹部に係合する凸部及び前記開口部の外周部と当接して押し込みを抑止する抑止部を有するロック部材と
を備え、
前記挿入体が前記カード収納装着体に装着された状態で前記ロック部材の前記凸部を前記凹部に係合させて前記挿入体を押込不可にする構成としてあることを特徴とするロック構造。
【請求項２】
筐体に形成された開口部、及び該開口部から挿入されたカード型機器を収納して装着する収納装着部を備え、該収納装着部は装着状態で前記開口部より突出する前記カード型機器の突出部分が奥方へ押し込まれた場合に装着を解除するようにしてある電気機器において、
前記カード型機器の前記突出部分には凹部が形成してあり、
該凹部と係合する凸部を有し、前記カード型機器を奥方へ押込不可にするロック部材を備えることを特徴とする電気機器。
【請求項３】
前記凸部が前記凹部に係合する係合位置及び係合しない非係合位置の間で前記ロック部材を前記筐体上で摺動させる摺動手段を備える請求項２に記載の電気機器。
【請求項４】
電気機器の筐体に形成された開口部から挿入して装着され、装着状態で前記開口部より突出する突出部分が奥方へ押し込まれた場合に装着が解除されるカード型機器において、
前記突出部分に奥方への押し込みを抑止する押込抑止手段を備えることを特徴とするカード型機器。
【請求項５】
前記押込抑止手段は、前記開口部の外周部と当接して押し込みを抑止する抑止部材と、該抑止部材を挿入方向へ略１８０度回動可能に枢支する枢軸とを有する請求項４に記載のカード型機器。
【発明の詳細な説明】
【技術分野】
【０００１】
本発明は、電気機器に備えたカード用コネクタにカード型機器を装着した場合に、誤操作によるカード型機器の装着の解除を防止するロック構造に関し、また、装着の解除を防止するロック構造を備える電気機器及びカード型機器に関する。
【背景技術】
【０００２】
近年のＰＣ（パーソナルコンピュータ）又はＰＤＡ（Ｐｅｒｓｏｎａｌ  Ｄｉｇｉｔａｌ  Ａｓｓｉｓｔａｎｔｓ）等の電気機器には、データの書き込み及び読み出しを行えるＳＤ（Ｓｅｃｕｒｅ  Ｄｉｇｉｔａｌ）カード、ＣＦ（Ｃｏｍｐａｃｔ  Ｆｌａｓｈ）カード又はメモリスティック等のメモリカードを着脱自在に装着するためのカード用コネクタが備えられており、着脱自在のメモリカードを用いることで、大容量のデータの可搬性を高めている。
【０００３】
また、上記のカード用コネクタに装着して使用されるものであり、データの記憶以外の機能を持つカード機器が実用化されている。これらのカード型機器として、例えば、無線ＬＡＮカード、ＰＨＳモデムカード及びブルートゥースカード等の無線通信を目的としたものがあり、ＰＣ及びＰＤＡ等に備わっていない機能を付加することができる。特許文献１においては、通信データの欠落や誤り率の劣化を防止した無線通信機能を有し、小型薄型化できるカード型無線通信装置が提案されている。
【０００４】
また、その他の機能として、特許文献２においては、ＩＣカードインタフェース部と、レンズを有する画像入力部とを備え、カード用コネクタにＩＣカードインタフェース部を挿入して装着し、ＰＣ及びＰＤＡ等に動画及び静止画を撮像する機能を付加することができるカード型カメラが提案されている。
【特許文献１】特開２００２−１５２０７７号公報
【特許文献２】特開平７−３２２１１７号公報
【発明の開示】
【発明が解決しようとする課題】
【０００５】
これらのカード型無線通信装置及びカード型カメラは、データ記憶用のメモリカードと比較するとサイズが大きく、ＰＣ又はＰＤＡ等のカード用コネクタから一部が突出した状態で装着して使用するようにしてある。例えば、カード型無線通信装置においては、無線通信用のアンテナ部がカード用コネクタから突出しており、カード型カメラにおいては、レンズを有する画像入力部がカード用コネクタから突出する。
【０００６】
一方、ＳＤカードを装着するカード用コネクタは、着脱操作の簡易化及び装置の小型化を目的として、装着するカード型機器を装着位置より一旦奥方へ押し込むことによりカード型機器が装着され、装着状態でカード型機器を一旦奥方へ押し込むことによりカード型機器の装着を解除する、謂所、プッシュイン／プッシュアウトの機構を採用しているものが多く、他の形状のカード型機器を装着するカード用コネクタでも採用される可能性がある。
【０００７】
カード型無線通信装置及びカード型カメラ等のようにカード用コネクタから一部が突出した状態で使用するカード型機器を、プッシュイン／プッシュアウト機構を採用しているカード用コネクタに装着する場合、カード用コネクタからの突出部分を使用者が誤って押し込む可能性が高く、押し込まれたカード型機器の装着が解除され、例えばカード型無線通信装置では通信が途切れてしまう虞があるという問題がある。
【０００８】
本発明は、斯かる事情に鑑みてなされたものであって、その目的とするところは、装着された状態でカード用コネクタから突出する部分に凹部を有するカード型機器を装着する場合に、凹部と係合する凸部及びカード用コネクタの開口部の外周部と当接して押し込みを抑止する抑止部を有するロック部材を用いて、ロック部材とカード型機器が係合した状態ではカード型機器を奥方へ押込不可となるようにすることで、使用者の誤操作によるカード型機器の装着の解除を防止することができるロック構造を提供することにある。
【０００９】
また本発明の他の目的とするところは、プッシュイン／プッシュアウト機構のカード用コネクタを備えるＰＣ又はＰＤＡ等の電気機器に、装着された状態でカード用コネクタから突出する部分に形成されたカード型機器の凹部と係合する凸部を有し、カード型機器を奥方へ押込不可にするロック部材を備えることで、使用者の誤操作によるカード型機器の装着の解除を防止することができる電気機器を提供することにある。
【００１０】
また本発明の他の目的とするところは、ロック部材を係合位置と非係合位置との間で摺動させてカード型機器を押込不可にする簡単な構成とすることで、機器を大型化せずにカード型機器の誤操作による装着の解除を防止する手段を備えることができる電気機器を提供することにある。
【００１１】
また本発明の他の目的とするところは、カード用コネクタからの突出部分に、押し込みを抑止する押込抑止手段を備えることで、使用者の誤操作による装着の解除を防止することができるカード型機器を提供することにある。
【００１２】
また本発明の他の目的とするところは、カード型機器の挿入方向に略１８０度回動する抑止部材を備え、挿入方向に回動させた場合は、抑止部材がカード用コネクタの開口部の外周部と当接して押し込みを抑止し、反対方向に回動させた場合は、押し込み可能な状態とするように構成することで、押込抑止手段を簡単に実現することができるカード型機器を提供することにある。
【課題を解決するための手段】
【００１３】
本発明に係るロック構造は、筐体に形成された開口部から挿入されたカード状の挿入体を収納して装着し、装着された前記挿入体が奥方へ押し込まれた場合に装着を解除するようにしてあるカード収納装着体と、前記開口部へ挿入して装着することが可能であり、装着状態で前記開口部から突出する突出部分を有し、該突出部分に凹部が形成してあるカード状の挿入体と、前記凹部に係合する凸部及び前記開口部の外周部と当接して押し込みを抑止する抑止部を有するロック部材とを備え、前記挿入体が前記カード収納装着体に装着された状態で前記ロック部材の前記凸部を前記凹部に係合させて前記挿入体を押込不可にする構成としてあることを特徴とする。
【００１４】
本発明においては、カード収納装着体に装着した場合には筐体の外に凹部が位置し、プッシュイン／プッシュアウトのために奥方へ押し込んだ場合には凹部が筐体の中に入るように、カード状の挿入体に凹部を形成しておき、ロック部材の凸部とカード状の挿入体の凹部とを係合させた場合に、ロック部材の抑止部とカード収納装着体に形成された開口部とが当接し、カード状の挿入体をカード収納装着体の奥方へ押し込むことが不可となって、プッシュアウトの操作を行うことができなくなり、誤操作によるカード状の挿入体の装着の解除を防止する。
【００１５】
また本発明に係る電気機器は、筐体に形成された開口部、及び該開口部から挿入されたカード型機器を収納して装着する収納装着部を備え、該収納装着部は装着状態で前記開口部より突出する前記カード型機器の突出部分が奥方へ押し込まれた場合に装着を解除するようにしてある電気機器において、前記カード型機器の前記突出部分には凹部が形成してあり、該凹部と係合する凸部を有し、前記カード型機器を奥方へ押込不可にするロック部材を備えることを特徴とする。
【００１６】
この発明においては、カード型機器を装着できる電気機器に、装着時にカード型機器のカード用コネクタから突出する部分に形成された凹部と係合する凸部を有するロック部材を備えて、ロック部材がカード型機器の奥方への押し込みを不可にし、使用者の誤操作によるカード型機器の装着の解除を防止する。
【００１７】
また本発明に係る電気機器は、前記凸部が前記凹部に係合する係合位置及び係合しない非係合位置の間で前記ロック部材を前記筐体上で摺動させる摺動手段を備えることを特徴とする。
【００１８】
この発明においては、ロック部材を摺動可能に電気機器の筐体に配設し、カード型機器に形成された凹部とロック部材の凸部とが係合する位置にロック部材を摺動させることで、カード型機器の押し込みを不可とする構成として、カード型機器の装着の解除を防止する手段を簡単に実現する。
【００１９】
また本発明に係るカード型機器は、電気機器の筐体に形成された開口部から挿入して装着され、装着状態で前記開口部より突出する突出部分が奥方へ押し込まれた場合に装着が解除されるカード型機器において、前記突出部分に奥方への押し込みを抑止する押込抑止手段を備えることを特徴とする。
【００２０】
この発明においては、カード型機器をカード用コネクタに装着した場合に、カード用コネクタから突出するカード型機器の突出部分に、カード用コネクタの奥方への押し込みを抑止する押込抑止手段を設けて、カード型機器の奥方への押し込みを不可にし、使用者の誤操作によるカード型機器の装着の解除を防止する。
【００２１】
また本発明に係るカード型機器は、前記押込抑止手段が、前記開口部の外周部と当接して押し込みを抑止する抑止部材と、該抑止部材を挿入方向へ略１８０度回動可能に枢支する枢軸とを有することを特徴とする。
【００２２】
この発明においては、カード型機器の挿入方向に略１８０度回動する抑止部材を備え、挿入方向に回動させた場合は、抑止部材がカード用コネクタの開口部の外周部と当接して押し込みを抑止し、反対方向に回動させた場合は、押し込みが可能な状態となるように構成して、ロック手段を簡単に実現する。
【発明の効果】
【００２３】
本発明による場合は、カード状の挿入体に形成された凹部と係合する凸部及びカード収納装着体に形成された開口部の外周部と当接して押し込みを抑止する抑止部を有するロック部材を用い、ロック部材とカード状の挿入体とを係合させた場合に、ロック部材がカード収納装着体の開口部の外周部と当接して押し込みを不可能にすることで、プッシュアウト操作を行うことができなくなるため、使用者の誤操作によってカード状の挿入体の装着が解除される虞をなくすことができる。
【００２４】
また、本発明による場合は、カード型機器を装着できる電気機器が、カード型機器の装着時にコネクタから突出する部分に形成された凹部と係合する凸部を有するロック部材を備えることで、カード型機器の奥方への押し込みを不可能とすることができるため、使用者の誤操作によってカード型機器の装着が解除されることがなくなり、例えば、使用中に無線通信処理又は撮像処理等が途切れる虞をなくすことができる。
【００２５】
また、本発明による場合は、ロック部材を係合位置と非係合位置との間で摺動させてカード型機器の押し込みを不可能にする簡単な構成とすることで、ロック部材を備えることによる電気機器の大型化を防ぐことができる。
【００２６】
また、本発明による場合は、装着状態でカード用コネクタから突出するカード型機器の突出部分に、カード型機器の奥方への押し込みを不可能にする押込抑止手段を備えることで、使用者の誤操作によるカード型機器の装着の解除を防止することができるため、例えば、使用中に無線通信処理又は撮像処理等が途切れる虞をなくすことができる。
【００２７】
また、本発明による場合は、カード型機器の挿入方向に略１８０度回動する抑止部材を備え、挿入方向に回動させた場合は、抑止部材がカード用コネクタの開口部の外周部と当接して押し込みを抑止し、反対方向に回動させた場合は、押し込みが可能な状態となるように構成することで、カード型機器に押込抑止手段を簡単に実現することができるため、カード型機器を装着する電気機器が装着の解除を防止する手段を有しない場合であっても、誤操作によるカード型機器の装着の解除を防止することができる。
【発明を実施するための最良の形態】
【００２８】
以下、本発明をその実施の形態を示す図面に基づき具体的に説明する。なお、本実施の形態においては、カード状の挿入体としてＳＤカード型の無線ＬＡＮカード、及びカード収納装着体として無線ＬＡＮカードを装着する電気機器であるＰＤＡを例に説明を行う。
（実施の形態１）
図１は、本発明の実施の形態１に係るロック構造を備える電気機器の構成を示す斜視図である。図において１はＰＤＡであり、ＰＤＡ１は扁平な略直方体形状の筐体２を有している。筐体２の表面には、文字又は画像等を表示するための表示部３及び複数個の入力用のボタンを有する入力部４が配設してある。筐体２の側面には、ＳＤカード型のカード型機器を挿入するための長方形状の開口部７が形成してある。
【００２９】
筐体２の内部には開口部７から挿入されたカード型機器を収納して装着する収納装着部６を備えており、カード型機器の全体又は一部分を収納装着部６に収納した状態で装着する。収納装着部６は、開口部７から挿入されたカード型機器を装着位置より奥方へ一旦押し込むことで装着を行い、装着された状態のカード型機器を奥方へ一旦押し込むことで装着を解除して排出する、プッシュイン／プッシュアウトの機構を有している。また、収納装着部６の内部には接続端子（図示せず）が配設してあり、カード型機器を装着した場合に、カード型機器に備えられた接続端子と当接して電気的に接続できるようにしてある。
【００３０】
また、図１において１０はＳＤカード型の無線ＬＡＮカードであり、無線ＬＡＮカード１０はＰＤＡ１に無線によるネットワーク機能を付加するものである。無線ＬＡＮカード１０は略長方形状のカード型の本体の一端側にアンテナ部１１を有し、アンテナ部１１にて他のネットワーク機器とのデータの送受信を無線で行っている。無線ＬＡＮカード１０の他端側の裏面には図示しない接続端子が配設してあり、接続端子が配設してある側から収納装着部６に挿入して装着し、収納装着部６の内部に備えられた接続端子と当接して電気的に接続する。また、接続端子が配設してある側の先端角部分の一方は、角を落として誤挿入防止部１４が形成してあり、使用者が無線ＬＡＮカード１０の表裏を誤って収納装着部６に挿入することを防止している。
【００３１】
無線ＬＡＮカード１０の両側面の略中央部分には、押し込み防止用の切欠部１２、１２が形成してあり、誤挿入防止部１４が形成してある側の側面には、誤挿入防止部１４の端部から５ｍｍ程度離れた位置に、抜き取り防止用の切欠部１３が形成してある。押し込み防止用の切欠部１２、１２及び抜き取り防止用の切欠部１３は、無線ＬＡＮカード１０の側面に沿う方向に１ｍｍ〜２ｍｍ程度の長さで、内方向に１ｍｍ未満の長さを有する長方形状の切り欠きである。押し込み防止用の切欠部１２、１２は、後述のロック部材２０と係合することで無線ＬＡＮカード１０が収納装着部６の奥方へ押し込まれることを不可能にするためのものであり、無線ＬＡＮカード１０を収納装着部６に収納して装着した場合に、押し込み防止用の切欠部１２、１２からアンテナ部１１が配設してある端部までが収納装着部６から突出した状態となる位置に形成してある。
【００３２】
抜き取り防止用の切欠部１３は、使用者がプッシュアウト動作を行わずに無線ＬＡＮカード１０を収納装着部６から抜き取ることを防止するためのものであり、無線ＬＡＮカード１０を収納装着部６に装着した場合には、収納装着部６の内部に収まる位置に形成してある。抜き取り防止のロック構造は公知のものであり、収納装着部６内に備えられた図示しないロックピンと切欠部１３とが係合して抜き取りを不可能な状態にする。収納装着部６内のロックピンはプッシュインの操作と共に突出して係合状態となり、プッシュアウトの操作で係合状態が解除されるようにしてある。なお、無線ＬＡＮカード１０に備えられた接続端子、誤挿入防止部１４及び抜き取り防止用の切欠部１３は公知のＳＤメモリカードに備えられているものと同じである。
【００３３】
無線ＬＡＮカード１０を収納装着部６の奥方へ押込不可にするためのロック部材２０は、無線ＬＡＮカード１０の押し込み防止用の切欠部１２、１２と係合する２つの凸部２１、２１と、２つの凸部２１、２１を連結し、ＰＤＡ１の筐体２に形成された開口部７の外周部分と当接して無線ＬＡＮカード１０の押し込みを抑止する抑止部２２とを備えている。
【００３４】
図２は、本発明の実施の形態１に係るロック構造における無線ＬＡＮカード１０の装着状態及びロック状態を示す拡大斜視図である。図２において（ａ）は収納装着部６に無線ＬＡＮカード１０を収納して装着した状態を示しており、（ｂ）は装着状態で更にロック部材２０を用いてロックした状態を示している。
【００３５】
無線ＬＡＮカード１０をプッシュインして収納装着部６に装着した状態では、切欠部１２、１２からアンテナ部１１が配設してある端部までが収納装着部６の外に突出しており、この状態で無線ＬＡＮカード１０の突出部分を収納装着部６の奥方へ押し込むことで装着状態が解除され、収納装着部６の内部に備えられた図示しないバネの力により無線ＬＡＮカード１０を収納装着部６から排出するようにしてある。
【００３６】
無線ＬＡＮカード１０を収納装着部６にプッシュインして装着し、ロック部材２０を無線ＬＡＮカード１０の表面に対して垂直に、ロック部材２０の２つの凸部２１、２１を無線ＬＡＮカード１０の２つの凹部１２、１２にそれぞれ差し込んで係合させることで、ロック状態とすることができる。この状態では、無線ＬＡＮカード１０の突出部分を押した場合、無線ＬＡＮカード１０の切欠部１２、１２と係合する凸部２１、２１を連結している抑止部２２が、ＰＤＡ１の開口部７の外周部の筐体２に当接しており、収納装着部６の奥方への押し込みを妨げるため、プッシュアウトの操作を行えないようにしている。また、無線ＬＡＮカード１０の切欠部１２、１２とロック部材２０の凸部２１、２１との係合が簡単に外れて、ロック部材２０が抜け落ちることのないよう、切欠部１２、１２及び凸部２１、２１の係合部分は摩擦力により強固に固定されるようにしてある。
【００３７】
以上の構成のロック構造を用いることにより、無線ＬＡＮカード１０の使用中に誤って突出部分を押しても装着状態が解除されることがなく、ＰＤＡ１のネットワーク処理が中断される虞を無くすことができる。なお、本実施の形態においては、カード型機器として無線ＬＡＮカードを例に説明を行ったが、これに限るものではなく、ＰＨＳモデムカード及びブルートゥースカード等の無線通信カード、又はカード型カメラ等の他の機能を有するカード型機器であっても、カード用コネクタに装着した場合に突出部分を有するものであれば同様のロック構造を利用することができる。また、カード型機器を収納して装着する電気機器としてＰＤＡを例に説明を行ったが、これに限るものではなく、ＰＣ、ディジタルカメラ、携帯電話機又は携帯ゲーム機器等でプッシュイン／プッシュアウト機構を有するカード用コネクタを備えるものであれば同様のロック構造を利用することができる。また、カード型機器及びカード用コネクタに、カード型機器の抜き取りを防止するロック構造を更に備える構成としたが、備えなくてもよい。また、カード型機器及びカード用コネクタはＳＤカード型のものに限らず、メモリスティック、ＣＦカード又はＰＣカード等の他の形状のカード型機器及びカード用コネクタにおいても同様のロック構造を利用することができる。また、無線ＬＡＮカードのようなカード型機器とＰＤＡのような電気機器ではなくても、カード状の挿入体を収納して装着する場合に、カード収納装着体からカード状の挿入体の一部分が突出した状態で装着することが可能なものであれば、同様のロック構造を利用することができる。
【００３８】
（実施の形態２）
実施の形態１においてはロック部材を電気機器及びカード型機器とは別体として備える構成を示したが、実施の形態２においてはロック部材を電気機器に備える。図３は、本発明の実施の形態２に係るロック構造におけるＰＤＡのロック部材近傍の拡大斜視図である。図３において（ａ）はカード型機器の非装着状態を示し、（ｂ）はカード型機器を装着して更にロックした状態を示す。
【００３９】
図３において３０はＰＤＡ１ａの収納装着部６に装着されたカード型機器の押し込みをロックするロック部材であり、ロック部材３０は筐体２の開口部７の一方の短辺側近傍に配設してある。また、ロック部材３０は、開口部７の長辺方向に摺動可能にしてあり、使用者が摺動操作を行うための略直方体形状の操作部３１と、カード型機器に形成された切欠部と係合するための、操作部３１に突設された凸部３２とを備えている。
【００４０】
図４は、本発明の実施の形態２に係るロック部材３０の構成を示す分解斜視図である。ＰＤＡ１ａの筐体２には、ロック部材３０を摺動させるための長方形状のガイド溝３３が形成してあり、ロック部材３０は、筐体２との当接面に、摺動方向に沿って突設されたスライド部３４を有している。このスライド部３４をガイド溝３３に挿入して、ロック部材３０は摺動可能に筐体２に取り付けられている。スライド部３４の端部には、ロック部材３０のガイド溝３３からの抜け落ちを防止するために、一旦拡幅して先端に向かって縮幅する略三角形状の断面を有する爪部分が形成してあり、また、ガイド溝３３はスライド部３４の爪部分を挿入できるように底部が拡幅してある。ロック部材３０はプラスチック製の一体成形品であり、一定以上の押圧力を加えてロック部材３０をガイド溝３３に押し込むことで、スライド部３４をガイド溝３３に挿入でき、ロック部材３０を摺動可能かつ抜脱不可能に筐体２に取り付けることができる。
【００４１】
以上の構成のロック構造において、収納装着部６に無線ＬＡＮカード１０をプッシュイン操作により装着し、ロック部材３０を摺動させて、無線ＬＡＮカード１０の側面に形成された切欠部１２、１２の一方とロック部材３０の凸部３２とを係合させることで、無線ＬＡＮカード１０を収納装着部６の奥方へ押込不可にすることができる。押込不可の状態では、プッシュアウト操作による無線ＬＡＮカード１０の装着の解除を行うことができないため、使用者の誤操作により通信処理が中断する虞がない。
【００４２】
なお、実施の形態２においてはロック部材３０をＰＤＡ１ａの開口部７の長辺方向に摺動させる構成としたが、これに限らず、開口部７の短辺方向に摺動させてもよい。図５は、本発明の実施の形態２に係るロック構造の変形例を示すロック部材近傍の拡大斜視図である。図５において（ａ）はカード型機器の非装着状態を示し、（ｂ）はカード型機器を装着して更にロックした状態を示す。
【００４３】
図５において４０は収納装着部６に装着されたカード型機器の押し込みをロックするロック部材であり、ロック部材４０はＰＤＡ１ｂの筐体２に形成された長方形状の開口部７の一方の短辺側近傍に配設してある。また、ロック部材４０は使用者が摺動操作を行うための略直方体形状の操作部４１と、カード型機器に形成された切欠部と係合するための凸部４２と、ロック部材４０を摺動させるために筐体２に形成されたガイド溝４３に挿入する図示しないスライド部とを備えている。ロック部材４０が開口部７の短辺方向に摺動可能となるように、ガイド溝４３は開口部７の短辺方向に沿った長方形状に形成してある。
【００４４】
このように、ロック部材４０を開口部７の短辺方向に摺動させる構成とした場合も、開口部７の長辺方向に摺動させる構成と同様に、無線ＬＡＮカード１０を収納装着部６の奥方へ押し込むことを防止することができ、使用者の誤操作によって無線ＬＡＮカード１０の装着が解除される虞がなくなる。
【００４５】
また、実施の形態２においては無線ＬＡＮカード１０の切欠部１２、１２の一方のみにロック部材３０の凸部３２を係合させる構成を示したが、ロック部材３２をＰＤＡ１ａの開口部７の両側に配設して、２つの切欠部１２、１２を両方ロックする構成としてもよく、この場合はより確実に無線ＬＡＮカード１０の奥方への押し込みを防止することができる。
【００４６】
実施の形態２に係るロック構造のその他の構成は、実施の形態１に係るロック構造の構成と同様であるため、同様の箇所には同じ符号を付して詳細な説明を省略する。
【００４７】
（実施の形態３）
図６は、本発明の実施の形態３に係るロック構造における無線ＬＡＮカードの背面斜視図である。図６において、（ａ）は非ロック状態、（ｂ）はロック状態を示している。また、図７は、本発明の実施の形態３に係る無線ＬＡＮカードをＰＤＡ１に装着してロックした状態を示す背面斜視図である。
【００４８】
図６において１０ａはＳＤカード型の無線ＬＡＮカードであり、無線ＬＡＮカード１０ａは略長方形状のカード型の本体の一端側にアンテナ部１１を有し、他端側には金属製の接続端子１５が配設してある。接続端子１５が配設してある側の先端角部分の一方は、角を落として誤挿入防止部１４が形成してあり、誤挿入防止部１４の近傍の側面には抜き取り防止用の切欠部１３が形成してある。また、無線ＬＡＮカード１０ａの両側面の略中央部分には、後述の抑止部材５０の回動を係止するための切欠部５３、５３が形成してあり、切欠部５３、５３は、無線ＬＡＮカード１０ａを収納装着部６に装着した場合に、切欠部５３、５３からアンテナ部１１が配設してある端部までが収納装着部６から突出した状態となる位置に形成してある。
【００４９】
無線ＬＡＮカード１０ａの背面には、ＰＤＡ１の収納装着部６に装着した場合に、ＰＤＡ１の開口部７の外周部分の筐体２に当接して無線ＬＡＮカード１０ａの奥方への押し込みを抑止する抑止部材５０が備えられている。抑止部材５０は略長方形状の板であり、長辺の長さが無線ＬＡＮカード１０ａの幅と略等長で、短辺の長さが無線ＬＡＮカード１０ａの長さの１／６程度である。抑止部材５０は、アンテナ部１１から接続端子１５の方向へ、またその逆方向へ回動可能に、長辺の一端側で枢軸５１によって枢支され、蝶接されている。また、抑止部材５０の長辺の他端側の両角部分には、抑止部材５０の平面から垂直に係止爪５２、５２が突設してあり、抑止部材５０を接続端子１５の方向へ回動させた場合に、係止爪５２、５２が切欠部５３、５３と係合して抑止部材５０の回動を係止するようにしてある。また、係止爪５２、５２と切欠部５３、５３との係合が簡単に外れないように、係合部分は摩擦力により強固に固定されるようにしてある。
【００５０】
以上の構成の無線ＬＡＮカード１０ａをＰＤＡ１の収納装着部６に装着する場合、抑止部材５０をアンテナ部１１側に回動させた状態で、開口部７から収納装着部６へ挿入して押し込むことで、プッシュインにより無線ＬＡＮカード１０ａを装着することができる。無線ＬＡＮカード１０ａを装着した状態で、抑止部材５０を接続端子１５側へ回動させた場合、抑止部材５０が開口部７の外周部の筐体２と当接するため、無線ＬＡＮカード１０ａを収納装着部６の奥方へ押込不可の状態にすることができる。無線ＬＡＮカード１０ａの装着を解除する場合は、抑止部材５０をアンテナ部１１側へ回動させ、収納装着部６の奥方へ押し込むことで、プッシュアウトにより無線ＬＡＮカード１０ａの装着を解除することができる。
【００５１】
なお、本実施の形態においては、抑止部材５０を枢軸５１にて回動させる構成としたが、これに限らず、例えば抑止部材５０を摺動させるなどの他の構成としてもよい。抑止部材５０を２つの係止爪５２、５２にて回動を係止する構成としたが、これに限らず、１つ又は３つ以上の係止爪にて回動を係止する構成としてもよく、また、バネなどを用いて抑止部材５０の回動を接続端子１５側へ付勢する場合には、係止爪を備えなくてもよい。また、抑止部材５０を無線ＬＡＮカード１０ａの背面に備える構成を示したが、表面又は側面に備えてもよい。
【００５２】
実施の形態３に係るロック構造のその他の構成は、実施の形態１に係るロック構造の構成と同様であるため、同様の箇所には同じ符号を付して詳細な説明を省略する。
【図面の簡単な説明】
【００５３】
【図１】本発明の実施の形態１に係るロック構造を備える電気機器の構成を示す斜視図である。
【図２】本発明の実施の形態１に係るロック構造における無線ＬＡＮカードの装着状態及びロック状態を示す拡大斜視図である。
【図３】本発明の実施の形態２に係るロック構造におけるＰＤＡのロック部材近傍の拡大斜視図である。
【図４】本発明の実施の形態２に係るロック部材の構成を示す分解斜視図である。
【図５】本発明の実施の形態２に係るロック構造の変形例を示すロック部材近傍の拡大斜視図である。
【図６】本発明の実施の形態３に係るロック構造における無線ＬＡＮカードの背面斜視図である。
【図７】本発明の実施の形態３に係る無線ＬＡＮカードをＰＤＡに装着してロックした状態を示す背面斜視図である。
【符号の説明】
【００５４】
１、１ａ、１ｂ  ＰＤＡ
２  筐体
６  収納装着部
７  開口部
１０、１０ａ  無線ＬＡＮカード
１２  切欠部（凹部）
２０、３０、４０  ロック部材
２１、３２、４２  凸部
２２  抑止部
３３、４３  ガイド溝
３４  スライド部
５０  抑止部材
５１  枢軸
【図１】
2006209447.tif 000003
【図２】
2006209447.tif 000004
【図３】
2006209447.tif 000005
【図４】
2006209447.tif 000006
【図５】
2006209447.tif 000007
【図６】
2006209447.tif 000008
【図７】
2006209447.tif 000009